(57)【要約】      （修正有）【課題】震度の大きな地震に対しても十分な吸振効果を発揮することができ、しかも安価に実現できる吸振用シートを提供する。【解決手段】連続気泡と独立気泡が混在する半連続半独立気泡構造を有する中間層１０を備える。さらに中間層の表裏両面にそれぞれ接着された粘着材層１１、１２と、各粘着材層の露出面に、それぞれ設けられた剥離カバー１３、１４とを備える。中間層における連続気泡の各気泡壁に穿設される貫通孔の平均孔径を、家具等の設置物の重量に応じて設定した。【選択図】図１
2014023689.tif 000002
【特許請求の範囲】
【請求項１】
連続気泡（２１）と独立気泡（２２）が混在する半連続半独立気泡構造の中間層（１０）と、前記中間層の表裏両面にそれぞれ接着された粘着材層（１１、１２）とを備えたシート状のサンドイッチ体で構成されたことを特徴とする吸振用シート。
【請求項２】
前記中間層における前記連続気泡の各気泡壁に穿設されている貫通孔（２４）の平均孔径を、前記粘着材層の一方に粘着される設置物（３０）の重量に応じて設定したことを特徴とする請求項１に記載の吸振用シート。
【請求項３】
前記貫通孔の平均孔径を、前記設置物の重量が大きくなるに従って小さくなるように設定したことを特徴とする請求項２に記載の吸振用シート。
【請求項４】
前記設置物の重量を、複数の段階に設定したことを特徴とする請求項２または３に記載の吸振用シート。
【請求項５】
前記複数の段階は、前記設置物の重量が所定の範囲の値である第１の重量と、前記設置物の重量が前記第１の重量よりも小さい第２の重量と、前記設置物の重量が前記第２の重量よりも小さい第３の重量であることを特徴とする請求項４に記載の吸振用シート。
【請求項６】
前記設置物の重量が前記第１の重量である場合は、前記貫通孔の平均孔径が０．２から０．５ｍｍの範囲内であり、前記設置物の重量が前記第２の重量である場合は、前記貫通孔の平均孔径が０．６から１．０ｍｍの範囲内であり、前記設置物の重量が前記第３の重量である場合は、前記貫通孔の平均孔径が１．１から１．５ｍｍの範囲内であることを特徴とする請求項５に記載の吸振用シート。
【請求項７】
前記中間層に前記連続気泡が含まれる割合は、４０％から６０％の範囲内であることを特徴とする請求項１から６のいずれか１項に記載の吸振用シート。
【発明の詳細な説明】
【技術分野】
【０００１】
本発明は、地震発生時において家具等の設置物の移動や転倒を防ぐための吸振用シートに関する。
【背景技術】
【０００２】
従来、地震に備えて家具を固定しておく方法としては、ネジや釘、あるいは伸縮式の支柱棒などを使用して、家具を床や壁面に対して固定する方法が採られていた。しかし、ネジや釘を使用した場合は、家具や壁に傷を付けるだけでなく、地震発生時に衝撃吸収ができないため震動でネジや釘が抜けてしまうことになる。また、伸縮式の支柱棒も、衝撃吸収ができないため、脱落する可能性が高い。
【０００３】
そこで、ポリウレタン等の樹脂発泡体の両面に両面テープなどの接着性シート材を貼着させた吸振用の粘着シートが提案されている（特許文献１）。この粘着シートは、復元回復性を有する樹脂発泡体の衝撃吸収力を利用したもので、家具と壁面との間に取り付けることにより、地震発生時における家具の振動を吸収して家具の移動や転倒を防ごうとするものである。
【先行技術文献】
【特許文献】
【０００４】
【特許文献１】特開２００７−３７７９３号公報
【発明の概要】
【発明が解決しようとする課題】
【０００５】
しかしながら、上記粘着シートは、硬度が低く回復性が優れているポリウレタン等を原料として独立発泡させたシートであり、樹脂ダンパーとしての吸振機能を有してはいるが、その他の吸振機能を備えていないため、震度の大きな地震に対しては十分な吸振効果を発揮することができない。
【０００６】
本発明は、このような事情に鑑みてなされたもので、その目的は、震度の大きな地震に対しても十分な吸振効果を発揮することができる安価な吸振用シートを提供することにある。
【課題を解決するための手段】
【０００７】
上記目的を達成するために、本発明の吸振用シートは、連続気泡と独立気泡が混在する半連続半独立気泡構造を有する中間層（１０）と、前記中間層の表裏両面にそれぞれ接着された粘着材層（１１、１２）とを備えたシート状のサンドイッチ体で構成されたことを特徴とする。
【０００８】
この発明の吸振用シートによれば、半連続半独立気泡構造の独立気泡は、無通気性であってシートの剛性を保ち、振動に対して復元回復性のある樹脂ダンパーとして機能する。連続気泡は、通気性があり、振動に対して空気の吸入、排出による空気ダンパーとして機能する。このように、本発明の吸振用シートは、樹脂ダンパーの機能と空気ダンパーの機能とを併せ持つので、例えば床面や壁面と設置物との間に取り付けることにより、震度の大きな地震に対しても十分な吸振効果を発揮し、家具等の設置物の移動や転倒を防ぐことができる。
【０００９】
また、本発明の吸振用シートは、前記中間層における前記連続気泡の各気泡壁に穿設されている貫通孔（２４）の平均孔径を、前記粘着材層の一方に粘着される設置物（３０）の重量に応じて設定したことを特徴とする。この場合、前記貫通孔の平均孔径を、前記設置物の重量が大きくなるに従って小さくなるように設定すると良い。
【００１０】
この発明の吸振用シートによれば、家具等の設置物の重量が大きいものであっても、圧縮時に連続気泡内の空気を緩やかに排出することができ、連続気泡が空気ダンパーとしての機能を十分発揮することができる。
【００１１】
また、本発明の吸振用シートは、上記発明において、前記設置物の重量を、複数の段階に設定したことを特徴とする。
【００１２】
この発明の吸振用シートによれば、連続気泡に穿設される貫通孔の平均孔径を、設置物の重量の各段階毎に一律に設定すればよくなり、本発明の吸振用シートの製造が容易になる。
【００１３】
また、本発明の吸振用シートは、上記発明において、前記複数の段階は、前記設置物の重量が所定の範囲の値である第１の重量と、前記設置物の重量が前記第１の重量よりも小さい第２の重量と、前記設置物の重量が前記第２の重量よりも小さい第３の重量であることを特徴とする。
【００１４】
この発明の吸振用シートによれば、設置物の重量の段階を大中小の３つの段階に区分けしたので、連続気泡に穿設される貫通孔の平均孔径を、設置物の重量の大中小各段階毎に一律に設定すればよくなり、本発明の吸振用シートの製造がより一層容易になる。
【００１５】
また、本発明の吸振用シートは、上記発明において、前記設置物の重量が前記第１の重量である場合は、前記貫通孔の平均孔径が０．２から０．５ｍｍの範囲内であり、前記設置物の重量が前記第２の重量である場合は、前記貫通孔の平均孔径が０．６から１．０ｍｍの範囲内であり、前記設置物の重量が前記第３の重量である場合は、前記貫通孔の平均孔径が１．１ｍｍから１．５ｍｍの範囲内であることを特徴とする。
【００１６】
この発明の吸振用シートによれば、設置物の重量が大きい第１の重量では、貫通孔の平均孔径が０．２から０．５ｍｍの範囲内の連続気泡を有する中間層を使用する。この場合、貫通孔の平均孔径が０．２ｍｍ未満では、圧縮後の厚み回復に時間がかかり、０．５ｍｍを越えると設置物に対する空気ダンパーの吸振効果が低下する。同様に、設置物の重量が中程度の第２の重量では、貫通孔の平均孔径が０．６から１．０ｍｍの範囲内の連続気泡を有する中間層を使用する。この場合、貫通孔の平均孔径が０．６ｍｍ未満では、圧縮後の厚み回復に時間がかかり、１．０ｍｍを越えると設置物に対する空気ダンパーの吸振効果が低下する。設置物の重量が小さい第３の重量では、貫通孔の平均孔径が１．１ｍｍから１．５ｍｍの範囲内の連続気泡を有する中間層を使用する。この場合、貫通孔の平均孔径が１．１ｍｍ未満では、圧縮後の厚み回復に時間がかかり、１．５ｍｍを越えると設置物に対する空気ダンパーの吸振効果が低下する。
【００１７】
また、本発明の吸振用シートは、上記発明において、前記中間層に前記連続気泡が含まれる割合は、４０％から６０％の範囲内であることを特徴とする。
【００１８】
この発明の吸振用シートによれば、中間層に連続気泡が含まれる割合が４０％未満であれば、空気ダンパーとしての機能が弱まり、６０％超過であれば、シート自体の剛性（機械的強度）が弱くなる。したがって、中間層に連続気泡が含まれる割合を４０％から６０％の範囲内にすることにより、震度の大きな地震に対しても十分な吸振効果を発揮することができる。
【発明の効果】
【００１９】
本発明の吸振用シートによれば、震度の大きな地震に対しても十分な吸振効果を発揮することができ、しかも安価に実現することが可能である。
【図面の簡単な説明】
【００２０】
【図１】実施例に係る吸振用シートの構成を示す斜視図である。
【図２】図１の中間層の半連続半独立気泡構造を示す模式断面図である。
【図３】実施例の吸振用シートの床面に対する吸振作用を示す断面図である。
【図４】実施例の吸振用シートの壁面に対する吸振作用を示す断面図である。
【発明を実施するための形態】
【００２１】
以下、本発明の実施の形態について、図面を参照しながら説明する。
図１は、本発明の実施例に係る吸振用シートの構成を示す斜視図である。
この吸振用シートは、例えばＥＰＤＭ（エチレン−プロピレン−ジエンゴム）発泡体を、連続気泡と独立気泡が混在する半連続半独立気泡構造に形成した中間層１０（例えば約３０ｍｍ厚）を備えている。中間層１０の表裏両面には、図１に示すように、それぞれ両面粘着テープの粘着材層１１、１２（例えば約２ｍｍ厚）と剥離カバー１３、１４（例えば約１ｍｍ）とが順次接着され、これらによりシート状のサンドイッチ体が形成されている。
【００２２】
本実施例に使用される両面粘着テープの粘着材層１１、１２は、超強力な粘着力（例えばＪＩＳ規格Ｚ１５４１の超強力両面粘着テープの１種レベル）を持ち、その剥離カバー１３、１４は、それぞれ各粘着材層１１，１２の露出面に剥離可能に接着されている。そして、使用者が剥離カバー１３、１４を剥がすことで露出された粘着材層１１、１２の表面に、家具等の設置物や、家屋の床面、壁面が固着される。なお、本実施例の吸振用シートの形状は、図１に示すように、例えば幅５０ｍｍ程度のテープ状に加工して使用されるものとする。また、中間層１０を半発泡スポンジ１０と呼ぶこともある。
【００２３】
図２は、図１の中間層１０の半連続半独立気泡構造を示す模式断面図である。
本実施例の中間層１０は、ＥＰＤＭ発泡体の各気泡が隣接して構成され、具体的には、例えば、連続気泡２１と独立気泡２２の含有率が共に５０％の割合で混在する半連続半独立気泡構造を成している。独立気泡２２は、気泡同士が気泡壁２３で仕切られている密閉状態の気泡であり、気泡中には気体が封じ込められている。連続気泡２１は、気泡壁２３に貫通孔２４が開けられて通気性のある状態になっている。
【００２４】
ここで、本実施例の特徴は、連続気泡２１の各気泡壁２３に穿設される貫通孔２４の平均孔径を、家具等の設置物の重量に応じて設定したことである。具体的には、家具等の設置物の重量を３つの段階に設定し、貫通孔２４の平均孔径を、設置物の重量が大きくなるに従って小さくなるように設定してある。すなわち、設置物の重量の３段階とは、例えば、設置物の重量が、３０ｋｇ以上から５０ｋｇの範囲にある第１の重量と、１０ｋｇ以上３０ｋｇ未満の範囲にある第２の重量と、１０ｋｇ未満の第３の重量である。
【００２５】
そして、家具等の設置物の重量が大きい第１の重量である場合は、貫通孔２４の平均孔径が例えば０．２から０．５ｍｍの範囲内の半連続半独立気泡構造の中間層１０を使用し、設置物の重量が中程度の第２の重量である場合は、貫通孔２４の平均孔径が例えば０．６から１．０ｍｍの範囲内の半連続半独立気泡構造の中間層１０を使用する。また、設置物の重量が小さい第３の重量である場合は、貫通孔２４の平均孔径が例えば１．１から１．５ｍｍの範囲内の半連続半独立気泡構造の中間層１０を使用する。
【００２６】
次に、上述した吸振用シートの製造方法について説明する。
まず、ＥＰＤＭ発泡体を製造する。ＥＰＤＭ発泡体を製造するには、公知の技術を用いて行う。例えば、調製された発泡組成物を、押出成形機を用いてテープ幅のシート状に押出成形し、押出成形された発泡組成物を加熱して加硫発泡させて、独立気泡構造を有するテープ幅のＥＰＤＭ発泡体シートを形成する。
【００２７】
続いて、このようにして得られた独立気泡のＥＰＤＭ発泡体に多数の針を侵入させ、独立気泡を物理的に破泡して貫通孔２４を形成する。これによって、独立気泡を互いに連通させて例えば５０％割合で連続気泡化する。具体的には、貫通孔２４を形成するための針が多数植設されている針ロールを加温した状態でＥＰＤＭ発泡体シート上にセットしておき、針をシート厚み方向へ侵入させるように、針ロールを回転させながらＥＰＤＭ発泡体シートを移動して貫通孔２４を形成する。このとき、貫通孔２４の平均孔径が家具等の設置物の重量に応じて設定されるように、貫通孔２４を形成するための針の太さを変える点が本実施例の特徴である。
【００２８】
すなわち、上記第１の重量用の中間層１０を製造するためには、貫通孔２４の平均孔径が例えば０．２から０．５ｍｍの範囲内になるように針の太さを選定し、上記第２の重量用の中間層１０を製造するためには、貫通孔２４の平均孔径が例えば０．６から１．０ｍｍの範囲内になるように針の太さを選定する。また、上記第３の重量用の中間層１０を製造するためには、貫通孔２４の平均孔径が例えば１．１から１．５ｍｍの範囲内になるように針の太さを選定する。
【００２９】
このようにして、家具等の設置物の重量に応じた３種類の、半連続半独立気泡構造の中間層１０である半発泡スポンジを製造することができる。この半発泡スポンジ１０に、超強力両面粘着テープの一方の粘着面を貼着すれば、図１に示したようなテープ状の吸振用シートが完成する。
【００３０】
次に、本実施例の動作について、図３及び図４を参照して説明する。
図３（ａ），（ｂ），（ｃ）は、本実施例の吸振用シートの床面に対する吸振作用を示す断面図であり、図４（ａ），（ｂ），（ｃ）は、本実施例の吸振用シートの壁面に対する吸振作用を示す断面図である。
【００３１】
前述のようにして製造されたテープ状の吸振用シート１５を任意の長さに切断し、図３（ａ）に示すように家具３０の底部の適切な場所と家屋の床面３１との間に挟まれるような形で複数カ所取り付ける。その場合、剥離カバー１３、１４を剥離することにより吸振用シート１５の粘着材層１１、１２の表面を露出させ、それぞれ家具３０の底部３０ａと床面３１に強固に粘着することができる。さらに、図４（ａ）に示すように、家具３０の側面の適切な場所と家屋の壁面４１との間にも同様に少なくとも１カ所以上取り付ける。
【００３２】
なお、本例では、仮に家具３０の重量を、３段階で最も大きい上記第１の重量（３０ｋｇから５０ｋｇの範囲）とし、これに対応して、半発泡スポンジ１０における連続気泡の貫通孔２４の平均孔径を、３段階で最も小さい０．２から０．５ｍｍの範囲内とする。
地震発生前の通常状態では、図３（ａ）に示すように、床面３１に取り付けられた吸振用シート１５の半発泡スポンジ１０は、家具３０の重量により、厚さ１５ｍｍ程度に圧縮され、連続気泡内の空気が全て排出された状態となって独立気泡化し、その剛性から安定した状態となっている。
【００３３】
その後、地震が発生して、図３（ｂ）に示すように、家具３０が揺れて床面３１に対して例えば左側に傾いたとき、家具３０の右下側に取り付けられていた吸振用シート１５における半発泡スポンジ１０が大きく伸張し、その結果、その連続気泡内に空気が吸入される。また、家具３０が床面３１に対して例えば右側に傾いたとき、同様に、家具３０の左下側に取り付けられていた吸振用シート１５における半発泡スポンジ１０が大きく伸張し、その連続気泡内に空気が吸入される。
吸振用シート１５内の全ての連続気泡内に空気が吸入されると、半発泡スポンジ１０の厚さは例えば２５ｍｍ程度に戻り、家具３０は、上記図３（ａ）の状態から一段浮き上がった状態になる。このように、半発泡スポンジ１０が空気を含んだ状態になることで家具３０が浮いた状態になり、左右の振動に対して大きな免震効果を発揮することができる。
【００３４】
さらに揺れが続いた場合、半発泡スポンジ１０の独立気泡は樹脂ダンパーとして機能し、半発泡スポンジ１０の連続気泡は、図３（ｃ）に示すように、空気ダンパーを構成するようになる。すなわち、家具３０の傾きにより連続気泡が圧縮されると、その気泡内の空気の一部が排出され、連続気泡が伸張されると、その気泡内に空気が戻される。ここで、本例では、家具３０の第１の重量に対応して、連続気泡の貫通孔２４の平均孔径を３段階で最も小さい０．２から０．５ｍｍの範囲内としているので、連続気泡が圧縮されたとき、連続気泡内の空気が急激に排出されることがない。その結果、半発泡スポンジ１０は緩やかに圧縮され、好適に家具３０の振動を吸収することができる。
図３（ｃ）の段階では、半発泡スポンジ１０に含まれた空気により家具３０が浮いた状態になっているので、左右の振動に対して大きな免震効果を発揮する。
【００３５】
一方、壁面４１と家具３０の側部との間に取り付けられた吸振用シート１５においては、地震発生前の通常状態では、図４（ａ）に示すように、家具３０の重量により壁面４１に取り付けられた吸振用シート１５の半発泡スポンジ１０は例えば厚さ２０ｍｍ程度に圧縮された状態となっている。
【００３６】
その後、地震が発生して、図４（ｂ）に示すように、家具３０が揺れて家具３０の側面が壁面４１に対して引き寄せられてきたとき、半発泡スポンジ１０が圧縮されるが、連続気泡内の空気が徐々に排出されるので、圧縮が緩やかに行われ、その結果、家具３０に対する衝撃が吸収される。また、図４（ｃ）に示すように、家具３０が揺れて家具３０の側面が壁面４１に対して離間しようとしたとき、吸振用シート１５における半発泡スポンジ１０が伸張する。その結果、半発泡スポンジ１０の連続気泡内に空気が吸入されるとともに、独立気泡の復元作用により吸振用シート１５が樹脂ダンパーとして作用し、家具３０の離間作用を引き戻そうという力が働き、振動が吸収される。
【００３７】
さらに揺れが続くと、上述したように、連続気泡内の空気の吸入と排出が発生し、半発泡スポンジ１０の連続気泡が空気ダンパーとして作用し、さらに独立気泡は樹脂ダンパーとして機能して、好適に家具３０の振動を吸収することができる。
【００３８】
本実施例の吸振用シート１５によれば、次のような利点を奏する。
（１）本実施例の吸振用シートは、樹脂ダンパーの機能と空気ダンパーの機能とを併せ持つので、例えば床面３１や壁面４１と家具３０との間に取り付けることにより、震度の大きな地震に対しても十分な吸振効果を発揮し、家具等の設置物の移動や転倒を防ぐことができる。
【００３９】
（２）貫通孔２４の平均孔径を、家具３０等の設置物の重量が大きくなるに従って小さくなるように設定したので、設置物の重量が大きいものであっても、圧縮時に連続気泡内の空気を緩やかに排出することができ、連続気泡が空気ダンパーとしての機能を十分発揮することができる。
【００４０】
（３）設置物の重量の段階を大中小の３つの段階に区分けしたので、連続気泡に穿設される貫通孔の平均孔径を、設置物の重量の大中小各段階毎に一律に設定すればよくなり、吸振用シート１５の製造がより一層容易になる。
【００４１】
なお、本実施例では、設置物の重量が大きい第１の重量である場合とし、これに対応して、貫通孔２４の平均孔径が０．２から０．５ｍｍの範囲内としたが、設置物の重量が中程度の第２の重量である場合は、貫通孔２４の平均孔径が０．６から１．０ｍｍの範囲内で設定すればよく、設置物の重量が小さい第３の重量である場合は、貫通孔の平均孔径が１．１ｍｍから１．５ｍｍの範囲内に設定すればよい。
【００４２】
また、設置物の重量が中程度の第２の重量では、空気ダンパーの吸振効果と圧縮後の厚み回復力を考慮して、平均孔径が０．６から１．０ｍｍの範囲内の連続気泡を有する中間層１０を使用することが望ましい。同様に、設置物の重量が小さい第３の重量では、貫通孔の平均孔径が１．１ｍｍから１．５ｍｍの範囲内の連続気泡を有する中間層１０を使用することが望ましい。
【００４３】
また、上記実施例では、中間層１０に連続気泡が含まれる割合を、５０％としたが、４０％から６０％の範囲内であればよい。すなわち、中間層１０に連続気泡が含まれる割合が４０％未満であれば、空気ダンパーとしての機能が弱まり、６０％超過であれば、シート自体の剛性が弱くなる。したがって、中間層１０に連続気泡が含まれる割合を４０％から６０％の範囲内にすることにより、震度の大きな地震に対しても十分な吸振効果を発揮することができる。
【符号の説明】
【００４４】
１０  中間層
１１、１２  粘着材層
１３、１４  剥離カバー
２４  貫通孔
２１  連続気泡
２２  独立気泡
【図１】
2014023689.tif 000003
【図２】
2014023689.tif 000004
【図３】
2014023689.tif 000005
【図４】
2014023689.tif 000006